(57)【要約】【課題】法線方向に延びる穴をライナーリングの外周面に形成する際に、穴の位置を精度よく、かつ短時間で決定することができる治具を提供する。【解決手段】治具２０は、並列に配置された２つの円柱部材２１，２１と、２つの円柱部材２１，２１を保持する保持部材２２と、２つの円柱部材２１，２１のそれぞれの中心を結ぶ線ＴＬに対して垂直な方向に移動可能なマーキング針２３とを備える。マーキング針２３は２つの円柱部材２１，２１の間の中間点に配置されている。【選択図】図２
2017040189.tif 000002
【特許請求の範囲】
【請求項１】
ライナーリングの外周面の法線方向に延びる穴を該ライナーリングの該外周面に形成する際に使用される芯出し治具であって、
並列に配置された２つの円柱部材と、
前記２つの円柱部材を保持する保持部材と、
前記２つの円柱部材のそれぞれの中心を結ぶ線に対して垂直な方向に移動可能なマーキング針とを備え、
前記マーキング針は前記２つの円柱部材の間の中間点に配置されていることを特徴とする治具。
【請求項２】
前記２つの円柱部材は、前記マーキング針に近づく方向および前記マーキング針から離れる方向に同じ距離だけ移動可能であることを特徴とする請求項１に記載の治具。
【発明の詳細な説明】
【技術分野】
【０００１】
本発明は、ライナーリングの外周面に法線方向に延びる穴を形成する際に使用される芯出し治具に関するものである。
【背景技術】
【０００２】
ポンプは、ケーシング内に配置された羽根車が回転することによって流体を圧送する回転機械である。加圧された流体が羽根車の吸込側に逆流することを防止するために、羽根車の流体入口を囲むようにライナーリングが設けられる。ライナーリングの外周面には、ねじ穴が形成されており、このねじ穴には、ライナーリングの回り止め用ねじが挿入される。回り止め用ねじは、ケーシングに設けられた穴に係合し、これによってライナーリングの回転が防止される。
【先行技術文献】
【特許文献】
【０００３】
【特許文献１】特開２００９−２４３３１５号公報
【特許文献２】特開２０１２−２６３４８号公報
【発明の概要】
【発明が解決しようとする課題】
【０００４】
回り止め用ねじが挿入されるねじ穴は、ライナーリングの外周面の法線方向に延びる。このようなねじ穴をライナーリングの外周面に形成するために、工作機械としての横ボール盤が使用される。ねじ穴の位置を決定するに際して、従来では、図３に示すようなＴ字型の治具１００とスケール１０１との組み合わせが使用されている。しかしながら、このような治具１００とスケール１０１では、ライナーリング３の接線方向を考慮する必要があるため、ねじ穴の位置を精度よく決定することは困難である。さらに、図３に示す従来の方法では、ねじ穴の位置を決定するために多くの時間が掛かる。
【０００５】
そこで、本発明は、法線方向に延びる穴をライナーリングの外周面に形成する際に、穴の位置を精度よく、かつ短時間で決定することができる治具を提供することを目的とする。
【課題を解決するための手段】
【０００６】
上述した目的を達成するために、本発明の一態様は、ライナーリングの外周面の法線方向に延びる穴を該ライナーリングの該外周面に形成する際に使用される芯出し治具であって、並列に配置された２つの円柱部材と、前記２つの円柱部材を保持する保持部材と、前記２つの円柱部材のそれぞれの中心を結ぶ線に対して垂直な方向に移動可能なマーキング針とを備え、前記マーキング針は前記２つの円柱部材の間の中間点に配置されていることを特徴とする。
【０００７】
本発明の好ましい態様は、前記２つの円柱部材は、前記マーキング針に近づく方向および前記マーキング針から離れる方向に同じ距離だけ移動可能であることを特徴とする。
【発明の効果】
【０００８】
本発明によれば、２つの円柱部材の外周面を、ライナーリングの外周面に接触させたとき、マーキング針が移動可能な方向は、ライナーリングの外周面の法線方向と一直線上に並ぶ。したがって、２つの円柱部材の外周面をライナーリングの外周面に接触させた状態で、マーキング針の先端をライナーリングの外周面に押し付けることによって、ねじ穴を形成すべき位置に印を付けることができる。
【図面の簡単な説明】
【０００９】
【図１】ポンプに備えられた複数の要素を示す模式図である。
【図２】治具の一実施形態を示す図である。
【図３】従来の治具を示す図である。
【発明を実施するための形態】
【００１０】
以下、本発明の実施形態について図面を参照して説明する。
図１はポンプに備えられた複数の要素を示す模式図である。ポンプは、羽根車１と、羽根車１が固定される回転軸２と、羽根車１の流体入口を囲むように配置されたライナーリング３と、羽根車１およびライナーリング３を収容するケーシング４とを備えている。羽根車１は回転軸２を介してモータなどの駆動源（図示しない）により回転され、流体（通常は液体）は羽根車１の回転に伴って羽根車１内を流れる。
【００１１】
ライナーリング３の内周面に近接してウェアリング５が配置されている。ライナーリング３およびウェアリング５は環状形状を有している。ウェアリング５の外周面とライナーリング３の内周面との間には僅かな隙間が形成されており、これらライナーリング３およびウェアリング５は非接触の環状シールとして機能する。したがって、回転する羽根車１によって昇圧された流体が高圧側から低圧側に流れることを防止することができる。
【００１２】
ライナーリング３の外周面３ａには、ねじ穴１０が形成されており、ライナーリング３の回転を防止するための回り止め用ねじ１１がねじ穴１０内に挿入される。ケーシング４の内面には回り止め用穴１５が形成されており、回り止め用ねじ１１は回り止め用穴１５に嵌合している。本実施形態では、１つのねじ穴１０、１つの回り止め用ねじ１１、および１つの回り止め用穴１５が設けられているが、複数のねじ穴１０、複数の回り止め用ねじ１１、および複数の回り止め用穴１５を設けてもよい。
【００１３】
ねじ穴１０はライナーリング３の外周面３ａの法線方向に延びる穴である。このようなねじ穴１０をライナーリング３の外周面３ａに形成するために、工作機械としての横ボール盤が使用される。
【００１４】
図２は治具２０の一実施形態を示す図である。治具２０は、ライナーリング３の外周面３ａの法線方向に延びるねじ穴１０を該ライナーリング３の外周面３ａに形成する際にねじ穴１０の位置を決めるための芯出し治具である。この治具２０は、並列に配置された２つの円柱部材２１，２１と、２つの円柱部材２１，２１を保持する保持部材２２と、２つの円柱部材２１，２１の軸方向から見たときにこれら円柱部材２１，２１のそれぞれの中心を結ぶ線ＴＬに対して垂直な方向に移動可能なマーキング針２３とを備える。マーキング針２３は２つの円柱部材２１，２１の間の中間点に配置されている。図２において、マーキング針２３が移動可能な方向は矢印で示されている。
【００１５】
円柱部材２１，２１の大きさおよび形状は同じである。円柱部材２１，２１の軸心は互いに平行であり、円柱部材２１，２１の外周面はライナーリング３の外周面に線接触することが可能である。保持部材２２はＴ字形状を有しており、２つの円柱部材２１，２１は保持部材２２の前面２２ａに保持されている。円柱部材２１，２１はマーキング針２３に関して対称に配置されている。
【００１６】
ライナーリング３は、横ボール盤のテーブル３０上に載置され、図示しないクランプで固定されている。２つの円柱部材２１，２１の外周面を、ライナーリング３の外周面３ａに接触させたとき、マーキング針２３が移動可能な方向（矢印で示す）は、ライナーリング３の外周面３ａの法線方向（符号ＣＬで示す）と一直線上に並ぶ。したがって、２つの円柱部材２１，２１の外周面をライナーリング３の外周面３ａに接触させた状態で、マーキング針２３の先端をライナーリング３の外周面３ａに押し付けることによって、ねじ穴１０を形成すべき位置に印を付けることができる。その後、横ボール盤によってライナーリング３の外周面３ａにねじ穴１０を形成する。
【００１７】
ライナーリング３の外径が、円柱部材２１，２１間の距離に比べて小さすぎると、円柱部材２１，２１の外周面がライナーリング３の外周面３ａに接触できない場合がある。また、ライナーリング３の外径が、円柱部材２１，２１間の距離に比べて大きすぎると、治具２０の芯出し精度が低下することがある。そこで、円柱部材２１，２１は、保持部材２２に保持されたまま、マーキング針２３に近づく方向およびマーキング針２３から離れる方向に同じ距離だけ移動可能に構成されてもよい。このような構成により、外径が異なるライナーリング３であっても同一の治具２０を用いることができる。具体的には、ライナーリング３の外径が小さい場合、円柱部材２１，２１を互いに近接させ、ライナーリング３の外径が大きい場合、円柱部材２１，２１を互いに離間させる。
【００１８】
本実施形態によれば、ねじ穴１０を形成すべき位置を短時間で精度よく決定することができる。図３に示す従来の治具では、ねじ穴の位置を決定するのに必要な時間は５分程度であったのに対して、本実施形態に係る治具２０を使用すれば、２〜３分程度で完了する。特に、ライナーリング３が大型のポンプに使用されるものである場合は、ライナーリング３に多数のねじ穴を設ける必要がある。このような場合に本実施形態に係る治具２０を使用すれば、作業時間を大幅に短縮することができる。
【００１９】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００２０】
１      羽根車
２      回転軸
３      ライナーリング
３ａ      外周面
４      ケーシング
５      ウェアリング
１０      ねじ穴
１１      回り止め用ねじ
１５      回り止め用穴
２０      治具
２１      円柱部材
２２      保持部材
２３      マーキング針
２２ａ    前面
３０      テーブル
【図１】
2017040189.tif 000003
【図２】
2017040189.tif 000004
【図３】
2017040189.tif 000005